(57)【要約】      （修正有）【課題】連結ピンを取り付けるピン用穴が損傷しないようにするとともに、ピン用穴に取り付けられた連結ピンを案内して他方の擁壁ブロックのピン用穴に差し込む作用負担を容易かつ軽減する擁壁ブロックの連結ピンを提供する。【解決手段】一方の擁壁ブロックと他方の擁壁ブロックを連結するに際して、連結ピン６を用いて連結するものであって、一方の擁壁ブロックに連結ピン６を差し込むピン用穴５ａが形成されているとともに、前記ピン用穴５ａの周囲に他方の擁壁ブロックに取り付けられた連結ピン６を案内するガイド溝８が設けられている。【選択図】図３
0003221548.tif 000002
【実用新案登録請求の範囲】
【請求項１】
一方の擁壁ブロックと他方の擁壁ブロックを連結する擁壁ブロックの連結構造に使用される連結ピンであり、前記連結ピンに水抜き用の穴に差し込まれたときに水を通過させるための通水溝や通過穴が形成されていることを特徴とする擁壁ブロックの連結ピン。
【請求項２】
一方の擁壁ブロックと他方の擁壁ブロックを連結するに際して、連結ピンを用いて連結する擁壁ブロックの連結構造であって、前記ピン用穴として、その擁壁ブロックに形成されている水抜き用の穴を使用するものであり、前記連結ピンに水を通過させるための通水溝や通過穴が形成されているか、又は、前記水抜き穴の周囲に前記連結ピンを差し込んだときに水を通過させるための通水溝や通過穴が形成されていることを特徴とする擁壁ブロックの連結構造。
【請求項３】
一方の擁壁ブロックと他方の擁壁ブロックを連結するに際して、連結ピンを用いて連結する擁壁ブロックの連結構造であって、一方の擁壁ブロックに連結ピンを差し込むピン用穴が形成されているとともに、前記ピン用穴の周囲に他方の擁壁ブロックに取り付けられた連結ピンを案内するガイド溝が設けられていることを特徴とする擁壁ブロックの連結構造。
【請求項４】
前記ピン用穴として、その擁壁ブロックに形成されている水抜き用の穴を使用することを特徴とする請求項３記載の擁壁ブロックの連結構造。
【請求項５】
前記ピン用穴の周囲に他方の擁壁ブロックに取り付けられた連結ピンを案内するガイド溝が設けられていることを特徴とする請求項２記載の擁壁ブロックの連結構造。
【請求項６】
前記ガイド溝の内側に溝の幅を狭める傾斜部が設けられていることを特徴とする請求項３又は５記載の擁壁ブロックの連結構造。
【請求項７】
前記ピン用穴が前記擁壁ブロックの側面の幅の中央に形成され、前記ガイド溝が前記ピン用穴よりもやや広い幅で、かつ、前記ピン用穴を中心とする上下方向に形成されていることを特徴とする請求項３又は５記載の擁壁ブロックの連結構造。
【考案の詳細な説明】
【技術分野】
【０００１】
本考案は、土地の境界などに埋設するための擁壁ブロックの連結ピン及び擁壁ブロックの連結構造に関する。
【背景技術】
【０００２】
本物品は土地の境界などに埋設するための擁壁ブロックが配置される。その一例としては、壁部と底部がＬ字状を呈する擁壁ブロック同士を連結する擁壁ブロックがある（特許文献１）。
特許文献１は、壁部と底部がＬ字状を呈する基礎ブロック同士をコーナー角や所定角度で連結するに際して有効なものであるが、フェンスや柵を取り付けるときは、壁部２の上面の穴９を介して取り付 けるに際して、壁部２には連結ピン６をはめ込むための穴（フェンスの水抜き穴）５が設けられている。このフェンスのための穴９に連通する水抜き穴５に連結ピン６を差し込むことで、Ｌ字状を呈する基礎ブロック１同士や連結用の基礎ブロックＢとの連結が簡単に行えるようになる。なお、上記水抜き穴５は、上記フェンス用穴９に貯まる水を排出することができるが、冷感地では、フェンス用穴９や柵用の穴の中に溜まる雨水等の凍結による膨張を原因とする製品クラックが発生するおそれがある。
【先行技術文献】
【特許文献】
【０００３】
【特許文献１】実用新案登録第３２１２７２６号公報
【考案の概要】
【考案が解決しようとする課題】
【０００４】
ところで、前記擁壁ブロックの側部の穴（連結ピンを差し込む穴）がそのまま露出していると、この差込穴が外部からの接触や連結作業者中に損傷するおそれがある。また、冷感地などでは、上記水抜き穴が凍りついて（水が付着していることが原因で）、上記水抜き穴が損傷するというような事態が生じる場合もある。更に、上記水抜き穴が損傷する事態としては、前記連結ピンを差し込んだときや、上記水抜き穴が凍結したときにも損傷が生じる。
また、ピン用穴に取り付けられた連結ピンの位置に他方の擁壁ブロックを案内するときに、いきなり連結ピンを差し込むことや、ピン用穴に対して取り付けられた連結ピンを他方のピン用穴にいきなり差し込むことは難しく、作業中の損傷や作業者の安全のためにも（作業中に手や指を挟むことを防止するためにも）、スムーズな位置合わせによる安全な連結を行う必要がある。
しかしながら、従来の擁壁ブロックには、このような手段が設けられていなかったために、ピン用穴が損傷したり（水抜き穴として使用する場合も含む。）、作業者の連結作業中の安全が十分に確保されているものとは言えなかった。
【０００５】
そこで本考案の目的は、連結ピンを取り付けるピン用穴が損傷しないようにするとともに、ピン用穴に取り付けられた連結ピンを案内して他方の擁壁ブロックのピン用穴に差し込む作業負担を容易かつ軽減する擁壁ブロックの連結ピン及び擁壁ブロックの連結構造を提供することにある。
【課題を解決するための手段】
【０００６】
本考案は、上記課題を解決するために、一方の擁壁ブロックと他方の擁壁ブロックを連結する擁壁ブロックの連結構造に使用される連結ピンであり、前記連結ピンに水抜き用の穴に差し込まれたときに水を通過させるための通水溝や通過穴が形成されていることを特徴とする。
本考案によれば、前記連結ピンを水抜き穴に差し込んでも水の通過が確保されて、水抜き穴として使用することができる。また、本考案によれば、前記通水溝や通過穴を形成することにより、前記水抜き穴や前記連結ピンの凍結などによる損傷が生じ難い構造になる。
また、本考案は、上記課題を解決するために、一方の擁壁ブロックと他方の擁壁ブロックを連結するに際して、連結ピンを用いて連結する擁壁ブロックの連結構造であって、一方の擁壁ブロックに連結ピンを差し込むピン用穴が形成されているとともに、前記ピン用穴の周囲に他方の擁壁ブロックに取り付けられた連結ピンを案内するガイド溝が設けられていることを特徴とする。
本考案によれば、他方の擁壁ブロックに取り付けられた連結ピンを介して一方の擁壁ブロックと連結する場合、他方の擁壁ブロックの連結ピンを案内するガイド溝が設けられているので、他方の擁壁ブロックの連結ピンをガイド溝に沿って案内して、ピン用穴に案内することができるので、スムーズに連結できるとともに安全な作業で擁壁ブロック同士を連結することができる。また、本発明によれば、擁壁ブロックにそのままピン用穴を形成するのではなく、ガイド溝を形成した中にピン用穴が形成されるので、外部損傷が生じ難い構造になる。
【０００７】
また、本考案は、上記課題を解決するために、一方の擁壁ブロックと他方の擁壁ブロックを連結するに際して、連結ピンを用いて連結する擁壁ブロックの連結構造であって、前記ピン用穴として、その擁壁ブロックに形成されている水抜き用の穴を使用するものであり、前記連結ピンに水を通過させるための通水溝や通過穴が形成されているか、又は、前記水抜き穴の周囲に前記連結ピンを差し込んだときに水を通過させるための通水溝や通過穴が形成されていることを特徴とする。
本考案によれば、前記連結ピンを水抜き穴に差し込んでも水の通過が確保されて、水抜き穴として使用することができる。また、本考案によれば、前記通水溝や通過穴を形成することにより、前記水抜き穴や前記連結ピンの凍結などによる損傷が生じ難い構造になる。
【０００８】
本考案としては、前記ガイド溝の内側に溝の幅を狭める傾斜部が設けられていることを特徴とする。
本考案によれば、前記ガイド溝の内側に溝の幅を狭める傾斜部が設けられていることから、この傾斜部に連結ピンが接触してピン用穴へと誘導することができる。  本考案としては、前記ピン用穴として、その擁壁ブロックに形成されている水抜き用の穴を使用することを特徴とする。
本考案によれば、ピン用穴に取り付けられた連結ピンの位置に他方の擁壁ブロックを案内して他方の擁壁ブロックのピン用穴を前記連結ピンに差し込むことを容易にすることができる。そして、擁壁ブロックの水抜き穴を利用するので、改めてピン用穴を形成する必要がなくなる。
【０００９】
本考案としては、前記ピン用穴が前記擁壁ブロックの側面の幅の中央に形成され、前記ガイド溝が前記ピン用穴よりもやや広い幅で、かつ、前記ピン用穴を中心とする上下方向に形成されていることを特徴とする。
本考案によれば、前記ピン用穴の位置が前記ガイド溝の中心とする上下方向に形成されていることにより、側方からの位置合わせするときも、又は、上方から下方に向かって位置合わせするときにも、他方の擁壁ブロックの連結ピンをガイド溝に沿って案内して連結することができる。
【考案の効果】
【００１０】
本考案によれば、他方の擁壁ブロックの前記ピン穴との位置合わせするためのガイド溝が設けられているので、前記ガイド溝に合わせるようにして他方の擁壁ブロックのピン用の穴をガイド溝に沿って案内して、連結ピンへと案内することができる。したがって、スムーズに案内して連結に際しての安全性を確保することができる。また、本考案によれば、擁壁ブロックにそのままピン用穴を形成するのではなく、ガイド溝を形成した中にピン用穴が形成されるので、外部損傷が生じ難い構造になる。
また、本考案によれば、前記連結ピンに水を通過させるための通水溝や通過穴が形成されているか、又は、前記水抜き穴の周囲に前記連結ピンを差し込んだときに水を通過させるための通水溝や通過穴が形成されていることから、連結ピンを水抜き穴に差し込んでも水の通過が確保されて、水抜き穴として使用することができる。また、本考案によれば、前記通水溝や通過穴を形成することにより、前記水抜き穴や前記連結ピンの凍結などによる損傷が生じ難い構造になる。
【図面の簡単な説明】
【００１１】
【図１】本考案の一実施形態の擁壁ブロックを示す正面図である。
【図２】上記実施形態の擁壁ブロックを示す側面図である。
【図３】上記実施形態の擁壁ブロックの連結状態を示す斜視図である。
【図４】上記実施形態の擁壁ブロックの連結状態と連結ピンを示す斜視図である。
【図５】上記実施形態の擁壁ブロックの連結状態を示す斜視図である。
【図６】上記実施形態の擁壁ブロックのガイド溝の種類を説明する図である。
【考案を実施するための形態】
【００１２】
以下、本考案を実施するための一形態について図面を引用しながら説明する。
図１は、本考案の第１の実施形態の擁壁ブロックを示す斜視図であり、図２は、上記実施形態の擁壁ブロックを示す側面図である。
本実施の形態の擁壁ブロック１は、底部３と、底部３から立設された壁部２とからなる断面Ｌ字形状を呈する擁壁ブロック１である。擁壁ブロック１の底部３は、土に埋設される部分であり、垂直方向に突出する突出部分が設けられている。本実施の形態の擁壁ブロック１には、底部３の両側面には隣り合う擁壁ブロックとボルトで接続するためのフランジが設けられる穴７が設けられている。また、基礎ブロック１の壁部２は、その表面に格子状の凹凸模様Ｍが施されている。格子状の凹凸模様Ｍは、コンクリートの持つ固さを和らげる模様Ｍであるが、その幅は底部３の幅の内側に入り込むようにしており、格子状の凹凸模様Ｍが外側に突出しないようにされている。
【００１３】
本実施の形態の擁壁ブロック１には、フェンスを取り付けたり柵などを立設させたりすることができるものであり、壁部の上面２に取り付けるための穴９が設けられている。この上面の穴９は、水抜き用の穴５ａと連続しており、側面部４に繋がっている（図３）。したがって、上記穴９に貯まる雨水等を排水するための水抜き穴５ａから上記穴９に貯まる水を排出することができる。
そして、壁部２には連結ピン６をはめ込むための穴５ａが設けられているが、これはフェンスのための穴９からの水抜き穴５であるとともに、連結ピン６を差し込む穴５としても使用されている。水抜き用の穴５ａを連結ピン６の差込に使用することで、擁壁ブロック１同士や連結用の擁壁ブロックＢとの連結が簡単になる。また、フェンス用穴９や柵用の穴の中に溜まる雨水等の凍結による膨張を原因とする製品クラックを防止するためである。連結ピン６としては、図３や図５に示す例のように、筒状のものの他に、後述する水を通過させる通水溝６ａが形成されていても良い（図４（ａ）〜（ｃ））。
【００１４】
側壁ブロック１の側面部４に、連結ピン６を差し込むピン用穴５ａが形成され、前記ピン用穴５ａの周囲にガイド溝８が設けられている。ガイド溝８の中にピン用穴５が設けられているので、外部損傷が生じ難い構造になる。なお、本実施の形態では、水抜き穴５ａをピン用穴５としたが、水抜き穴５ａを使用せずに、側面部にガイド溝８を設けて、そのガイド溝８の中にピン用穴５を形成しても良い（図５）。なお、図５に示す例は、水抜き穴５ａを利用したもののほかに、その上に単に側面部４にピン用穴５ｂを設けた二種類のものが同時に形成されている例である。
連結ピン６としては、図４（ａ）〜（ｃ）に示すように、水を通過させるための通水溝６ａが形成されているものを使用することが好ましい。前記通水溝６ａは、前記連結ピン６の外周の長手方向に形成され、本実施の形態では対象位置の２か所に形成されている。このような連結ピン６を水抜き穴５ａに差し込んだときでも水を通過させることができるものであれば良く、通過穴として連結ピン６に形成されるものでも良い。なお、水を通過させるためには、連結ピン６はそのままで、差し込まれる周囲に通水溝を形成することも可能である。
【００１５】
本実施の形態では、前記ピン用穴５が前記擁壁ブロックの側面４の幅の中央に形成され、前記ガイド溝８が前記ピン用穴５ａよりもやや広い幅で形成されている。すなわち、擁壁ブロックの側面４の幅の中央に配される前記ピン用穴５の周囲にガイド溝８が形成されている。ガイド溝８の周囲には、段差を和らげるためのテーパ８ａが形成されている。このテーパ８ａは、前記ガイド溝８の内側に溝８の幅を狭める傾斜部８ａである（図３（ｂ））。
【００１６】
ここで、上記ガイド溝８としては、図６（ａ）（ｂ）に示すように、前記ピン用穴５を中心とする上下方向にガイド溝８が形成されているものや（図６（ａ））、ガイド溝８の下方側にピン用穴５が形成されているものでも良い（図６（ｂ））。
また、擁壁ブロック１の側面４において、十字状やＸ字状に形成されているものでも良く、これらを組み合わせたものでも良い（図６（ｃ）（ｄ））。そして、これら十字状やＸ字状の中心に前記ピン用穴５が形成されている。これらにより、擁壁ブロック１Ａの側方からの位置合わせによる案内や、斜め方向からの位置合わせによる案内上方から下方に向かって位置合わせして、他方の擁壁ブロック１Ｂと連結することができる。このように、ピン用穴を有するガイド溝８の形状は種々のものが考えられる。
【００１７】
したがって、擁壁ブロック同士１Ａ，１Ｂを連結する場合には、他方の擁壁ブロック１Ｂのピン用穴（ガイド溝８の中に形成されたピン用穴）５に連結ピン６を差し込んでから一方の擁壁ブロック１Ａに位置合わせしながら案内して連結する。位置合わせに際しては、前記ガイド溝８が設けられているので、他方の擁壁ブロック１Ｂに取り付けられた連結ピン６を一方の擁壁ガイドのガイド溝８に案内することで、他方の擁壁ブロック１Ｂをスムーズに案内して、ガイド溝８の中のピン用穴５に連結ピン６を差し込むことができる。
なお、一方の擁壁ブロック１Ａのピン用穴５に連結ピン６を差し込んだ状態にしておき、前記ガイド溝８と前記ピン用穴５が設けられた他方の擁壁ブロック１Ｂを、そのガイド溝８に沿ってピン用穴５へと上記連結ピン６を案内することも可能である。
【００１８】
以上、本実施の形態においては、前記Ｌ字状の突出部を有する擁壁ブロックを例に説明したが、本考案は擁壁ブロックの形状や種類を問わず適用可能である。また、本実施の形態においては、横方向に擁壁ブロック同士を連結する場合を例に説明したが、本考案は、一方の擁壁ブロックと他方の擁壁ブロックとをコーナー角での連結する場合にも適用可能である。
【符号の説明】
【００１９】
１Ａ，１Ｂ    擁壁ブロック（一方の擁壁ブロック）、１Ｂ  他方の擁壁ブロック、
２      底部、
３      壁部、
４      側面部、
５，５ａ，５ｂ      ピン用穴、５ａ  （水抜き穴兼用のピン用穴）、
６      連結ピン、６ａ  通水溝
８      ガイド溝、８ａ  ガイド溝の傾斜部
【図１】
0003221548.tif 000003
【図２】
0003221548.tif 000004
【図３】
0003221548.tif 000005
【図４】
0003221548.tif 000006
【図５】
0003221548.tif 000007
【図６】
0003221548.tif 000008
【手続補正書】
【提出日】平成31年2月27日(2019.2.27)
【手続補正１】
【補正対象書類名】実用新案登録請求の範囲
【補正対象項目名】全文
【補正方法】変更
【補正の内容】
【実用新案登録請求の範囲】
【請求項１】
一方の擁壁ブロックと他方の擁壁ブロックを連結する擁壁ブロックの連結構造に使用される連結ピンであり、前記連結ピンに水抜き用の穴に差し込まれたときに水を通過させるための通水溝や通過穴が形成されていることを特徴とする擁壁ブロックの連結ピン。
【請求項２】
一方の擁壁ブロックと他方の擁壁ブロックを連結するに際して、連結ピンを用いて連結する擁壁ブロックの連結構造であって、前記連結ピンを差し込むピン用穴として、その擁壁ブロックに形成されている水抜き用の穴を使用するものであり、前記連結ピンに水を通過させるための通水溝や通過穴が形成されているか、又は、前記水抜き穴の周囲に前記連結ピンを差し込んだときに水を通過させるための通水溝や通過穴が形成されていることを特徴とする擁壁ブロックの連結構造。
【請求項３】
一方の擁壁ブロックと他方の擁壁ブロックを連結するに際して、連結ピンを用いて連結する擁壁ブロックの連結構造であって、一方の擁壁ブロックに連結ピンを差し込むピン用穴が形成されているとともに、前記ピン用穴の周囲に他方の擁壁ブロックに取り付けられた連結ピンを案内するガイド溝が設けられていることを特徴とする請求項１記載の擁壁ブロックの連結構造。
【請求項４】
前記ピン用穴として、その擁壁ブロックに形成されている水抜き用の穴を使用することを特徴とする請求項３記載の擁壁ブロックの連結構造。
【請求項５】
前記ピン用穴の周囲に他方の擁壁ブロックに取り付けられた連結ピンを案内するガイド溝が設けられていることを特徴とする請求項２記載の擁壁ブロックの連結構造。
【請求項６】
前記ガイド溝の内側に溝の幅を狭める傾斜部が設けられていることを特徴とする請求項３又は５記載の擁壁ブロックの連結構造。
【請求項７】
前記ピン用穴が前記擁壁ブロックの側面の幅の中央に形成され、前記ガイド溝が前記ピン用穴よりもやや広い幅で、かつ、前記ピン用穴を中心とする上下方向に形成されていることを特徴とする請求項３又は５記載の擁壁ブロックの連結構造。
【手続補正書】
【提出日】平成31年3月19日(2019.3.19)
【手続補正１】
【補正対象書類名】実用新案登録請求の範囲
【補正対象項目名】全文
【補正方法】変更
【補正の内容】
【実用新案登録請求の範囲】
【請求項１】
一方の擁壁ブロックと他方の擁壁ブロックを連結する擁壁ブロックの連結構造に使用される連結ピンであり、前記連結ピンに水抜き用の穴に差し込まれたときに水を通過させるための通水溝や通過穴が形成されていることを特徴とする擁壁ブロックの連結ピン。
【請求項２】
一方の擁壁ブロックと他方の擁壁ブロックを連結するに際して、連結ピンを用いて連結する擁壁ブロックの連結構造であって、前記連結ピンを差し込むピン用穴として、その擁壁ブロックに形成されている水抜き用の穴を使用するものであり、前記連結ピンに水を通過させるための通水溝や通過穴が形成されているか、又は、前記水抜き穴の周囲に前記連結ピンを差し込んだときに水を通過させるための通水溝や通過穴が形成されていることを特徴とする擁壁ブロックの連結構造。
【請求項３】
一方の擁壁ブロックと他方の擁壁ブロックを連結するに際して、請求項１記載の連結ピンを用いて連結する擁壁ブロックの連結構造であって、一方の擁壁ブロックに連結ピンを差し込むピン用穴が形成されているとともに、前記ピン用穴の周囲に他方の擁壁ブロックに取り付けられた連結ピンを案内するガイド溝が設けられていることを特徴とする擁壁ブロックの連結構造。
【請求項４】
前記ピン用穴として、その擁壁ブロックに形成されている水抜き用の穴を使用することを特徴とする請求項３記載の擁壁ブロックの連結構造。
【請求項５】
前記ピン用穴の周囲に他方の擁壁ブロックに取り付けられた連結ピンを案内するガイド溝が設けられていることを特徴とする請求項２記載の擁壁ブロックの連結構造。
【請求項６】
前記ガイド溝の内側に溝の幅を狭める傾斜部が設けられていることを特徴とする請求項３又は５記載の擁壁ブロックの連結構造。
【請求項７】
前記ピン用穴が前記擁壁ブロックの側面の幅の中央に形成され、前記ガイド溝が前記ピン用穴よりもやや広い幅で、かつ、前記ピン用穴を中心とする上下方向に形成されていることを特徴とする請求項３又は５記載の擁壁ブロックの連結構造。